(57)【要約】【課題】ヒンジ機構を具えた折り畳み式電子機器において、第１筐体と第２筐体にヒンジ機構を組み付ける工程の工数を従来よりも削減する。【解決手段】第１筐体と第２筐体がヒンジ機構３を介して互いに連結され、ヒンジ機構３は、互いに相対回転可能な第１連結部材41、中間連結部材４及び第２連結部材42を有している。第１筐体には、ヒンジ機構の第１連結部材41と中間連結部材４が収容される開口部が凹設され、中間連結部材４には、開口部を塞ぐカバー部材５がビス44により締結されている。中間連結部材４にはビス44の先端部がねじ込まれるべきねじ孔46が開設されると共に、第１連結部材41には、ビス44の頭部が余裕をもって通過することが可能な切り欠き43が形成されている。【選択図】図１０
2011120161.tif 000002
【特許請求の範囲】
【請求項１】
第１筐体と第２筐体がヒンジ機構を介して互いに連結され、ヒンジ機構は、第１連結部材と、第１連結部材に対して枢軸回りに回動可能な中間連結部材と、中間連結部材と連結され若しくは一体となった第２連結部材とを有し、第１連結部材に第１筐体が連結されると共に、第２連結部材に第２筐体が連結され、第１筐体に対して第２筐体を前記枢軸回りに回動させることが可能な折り畳み式電子機器において、
前記第１筐体には、前記ヒンジ機構の第１連結部材と中間連結部材が収容される開口部が凹設され、中間連結部材には、第１筐体と第２筐体が折り畳まれた状態で前記開口部を塞ぐカバー部材がビスにより締結されており、該中間連結部材には、第１筐体に対して第２筐体が閉じられた閉じ状態で第１連結部材と対向する領域に、前記ビスの先端部がねじ込まれるべきねじ孔が開設されると共に、第１連結部材には、前記閉じ状態で前記ねじ孔と対向する領域に、前記ビスの頭部が通過することが可能な開口が形成されていることを特徴とする折り畳み式電子機器。
【請求項２】
前記カバー部材は断面Ｕ字状に形成されて、前記開口部を覆うカバー部と、該カバー部と対向する固定部とを有し、該固定部に、前記ビスが貫通すべき貫通孔が開設されている請求項１に記載の折り畳み式電子機器。
【請求項３】
前記ヒンジ機構は２軸ヒンジ機構であって、第２連結部材は、中間連結部材に対して前記枢軸とは直交する第２の枢軸回りに回動可能である請求項１又は請求項２に記載の折り畳み式電子機器。
【発明の詳細な説明】
【技術分野】
【０００１】
本発明は、カメラや携帯電話機等の電子機器に関し、特に、ヒンジ機構を具えて２つの筐体を折り畳むことが可能な折り畳み式電子機器に関するものである。
【背景技術】
【０００２】
従来、２軸ヒンジ機構を具えて２つの筐体を折り畳むことが可能な電子機器が提案されている(特許文献１)。
例えば、静止画や動画を撮影することが可能なビデオカメラにおいては、図１４に示す如く、操作部(90)が配備された第１筐体(９)と、液晶ディスプレイ(92)が配備された第２筐体(91)とが、２軸ヒンジ機構(93)によって互いに開閉可能に連結されている。
【０００３】
２軸ヒンジ機構(93)は、その大部分が第１筐体(９)の凹部に収容されており、両筐体(９)(91)を開いた状態では、図１４に示す様に２軸ヒンジ機構(93)に固定されたカバー部材(94)によって前記凹部が塞がれることなる。従って、２軸ヒンジ機構(93)の内部を通過する多数のリード線等の内部構成が外部に露出することはない。
【先行技術文献】
【特許文献】
【０００４】
【特許文献１】特開２００９−１１１７３７号公報
【発明の概要】
【発明が解決しようとする課題】
【０００５】
従来の２軸ヒンジ機構(93)を具えた折り畳み式電子機器において、カバー部材(94)は、図１４に示す如くビス(96)を用いて２軸ヒンジ機構(93)の構成部材に締結されている。
この様な折り畳み式電子機器の組立工程においては、２軸ヒンジ機構(93)によって第１筐体(９)と第２筐体(91)を互いに連結した後、図１４に示す如く両筐体(９)(91)を開き、これによって両筐体(９)(91)の内面側にねじ孔(95)を露出させ、その露出したねじ孔(95)にビス(96)をねじ込むことが行なわれている。
【０００６】
従って、第１筐体(９)と第２筐体(91)に２軸ヒンジ機構(93)を組み付ける工程に、第１筐体(９)と第２筐体(91)を開閉させる作業が必要となり、これによって工数の増大を招く問題があった。
第１筐体(９)と第２筐体(91)に２軸ヒンジ機構(93)を組み付ける工程に先だって、治具によって２軸ヒンジ機構(93)を開いてねじ孔(95)を露出させ、その露出したねじ孔(95)にビス(96)をねじ込むことも可能であるが、特別な治具を用いた作業が工数の増大を招くことになる。
【０００７】
そこで本発明の目的は、ヒンジ機構を具えた折り畳み式電子機器において、第１筐体と第２筐体にヒンジ機構を組み付ける工程の工数を従来よりも削減することが可能な折り畳み式電子機器を提供することである。
【課題を解決するための手段】
【０００８】
本発明に係る折り畳み式電子機器においては、第１筐体と第２筐体がヒンジ機構を介して互いに連結され、ヒンジ機構は、第１連結部材と、第１連結部材に対して枢軸回りに回動可能な中間連結部材と、中間連結部材と連結され若しくは一体となった第２連結部材とを有し、第１連結部材に第１筐体が連結されると共に、第２連結部材に第２筐体が連結され、第１筐体に対して第２筐体を前記枢軸回りに回動させることが可能である。
【０００９】
ここで、前記第１筐体には、前記ヒンジ機構の第１連結部材と中間連結部材が収容される開口部が凹設され、中間連結部材には、第１筐体と第２筐体が折り畳まれた状態で前記開口部を塞ぐカバー部材がビスにより締結されており、該中間連結部材には、第１筐体に対して第２筐体が閉じられた閉じ状態で第１連結部材と対向する領域に、前記ビスの先端部がねじ込まれるべきねじ孔が開設されると共に、第１連結部材には、前記閉じ状態で前記ねじ孔と対向する領域に、前記ビスの頭部が通過することが可能な開口が形成されている。
【００１０】
具体的態様において、前記カバー部材は断面Ｕ字状に形成され、前記開口部を覆うカバー部と、該カバー部と対向する固定部とを有し、該固定部に、前記ビスが貫通すべき貫通孔が開設されている。
【００１１】
本発明に係る折り畳み式電子機器の組立工程においては、第１筐体と第２筐体をヒンジ機構によって互いに連結する作業に先立って、ヒンジ機構にカバー部材を締結する。
このとき、ヒンジ機構は、第１筐体と第２筐体を閉じたときの動作状態にあり、中間連結部材に開設されているねじ孔と、第１連結部材に形成されている開口とが、互いに重なっている。従って、中間連結部材にカバー部材を装着して、該カバー部材の貫通孔を中間連結部材のねじ孔に重ね合わせた状態で、中間連結部材のねじ孔とカバー部材の貫通孔が、第１連結部材の開口から露出することになる。
【００１２】
そこで、第１連結部材の開口を通じて、ビスをカバー部材の貫通孔から中間連結部材のねじ孔にねじ込むことにより、中間連結部材にカバー部材を締結することが出来る。
その後、カバー部材が締結されたヒンジ機構を用いて、第１筐体と第２筐体とを互いに連結する。
【発明の効果】
【００１３】
本発明に係る折り畳み式電子機器によれば、第１筐体と第２筐体をヒンジ機構によって互いに連結する作業に先立って、ヒンジ機構の中間連結部材にカバー部材を締結することが出来るので、第１筐体と第２筐体にヒンジ機構を組み付ける作業において両筐体を開閉させる必要がなく、これによって従来よりも工数を削減することが出来る。
【図面の簡単な説明】
【００１４】
【図１】図１は、本発明の一実施態様であるビデオカメラを開き状態で正面側から見た斜視図である。
【図２】図２は、該ビデオカメラを開き状態で背面側から見た斜視図である。
【図３】図３は、該ビデオカメラの開き状態の側面図である。
【図４】図４は、該ビデオカメラの開き状態の正面図である。
【図５】図５は、該ビデオカメラの閉じ状態の背面図である。
【図６】図６は、第１筐体の分解斜視図である。
【図７】図７は、該ビデオカメラにおいてカバー部材を取り外した状態の側面図である。
【図８】図８は、該ビデオカメラにおいてカバー部材を取り付けた状態の側面図である。
【図９】図９は、２軸ヒンジ機構の斜視図である。
【図１０】図１０は、２軸ヒンジ機構の分解斜視図である。
【図１１】図１１は、ビスを取り外した状態の２軸ヒンジ機構の背面図である。
【図１２】図１２は、ビスをねじ込んだ状態の２軸ヒンジ機構の背面図である。
【図１３】図１３は、２軸ヒンジ機構の正面図である。
【図１４】図１４は、従来のビデオカメラの開き状態の背面図である。
【発明を実施するための形態】
【００１５】
以下、本発明を静止画及び動画の撮影が可能なビデオカメラに実施した形態につき、図面に沿って具体的に説明する。
本発明の一実施態様であるビデオカメラは、図１及び図２に示す如く第１筐体(１)と第２筐体(２)を具え、両筐体(１)(２)は後述する２軸ヒンジ機構によって互いに開閉可能に連結されおり、図１〜図４に示す開き状態と図５に示す閉じ状態を設定することが可能である。
該ビデオカメラは、図１〜図３に示す如く第２筐体(２)を開いた状態で第１筐体(１)の下部を把持して使用するものである。
図４に示す如く、筐体(１)の底部には、三脚を取り付けるための取付け座(10)が設けられている。
【００１６】
図１及び図２に示す如く、第１筐体(１)には、その前部に、撮影レンズ(11)及び照明用のＬＥＤ(12)が配備されると共に、その後部に、静止画撮影を指示するシャッター釦(13)、ズーム釦(14)、動画撮影を指示する録画釦(15)、及びアクセスランプ(16)が配備されている。
第２筐体(２)には、その内面に液晶ディスプレイ(21)が配備されると共に、その外面に一対のマイクロホン(22)(22)が配備されている。又、第２筐体(２)の内面には、録画／再生キー(23)、メニューキー(24)、十字キー(25)及びセットキー(26)が配備されている。
尚、第２筐体(２)の外面にはメッキ処理が施されている。
【００１７】
更に第１筐体(１)の内面には、閉じ状態で第２筐体(２)によって覆われるべき領域に、図３及び図４に示す如く電源釦(17)、カード蓋(18)及び電池蓋(19)が配備されている。
【００１８】
第１筐体(１)は、図６に示す如くシャーシ(100)に対して、第１キャビネット部品(101)、第２キャビネット部品(102)及び第２キャビネット部品(103)を取り付けて構成されており、第１キャビネット部品(101)及び第２キャビネット部品(103)は合成樹脂製であるのに対し、第２キャビネット部品(102)はアルミニウム製である。
【００１９】
第１筐体(１)と第２筐体(２)を互いに連結する２軸ヒンジ機構(３)は、図９及び図１０に示す如く、第１連結部材(41)と、第１連結部材(41)に対して第１枢軸(31)回りに回動可能な中間連結部材(４)と、中間連結部材(４)に対して第１枢軸(31)とは直交する第２枢軸(32)回りに回動可能な第２連結部材(42)とを有している。中間連結部材(４)には、断面Ｕ字状のカバー部材(５)がビス(44)によって締結される。
【００２０】
第１連結部材(41)は、左右に延びる帯板部の両端に一対のアーム部を突設して構成されている。中間連結部材(４)は、左右に延びる帯板部の両端に一対のアーム部を突設して構成されている。そして、第１連結部材(41)の両アーム部と中間連結部材(４)の両アーム部が左右一対の第１枢軸(31)(31)によって相対回転可能に支持されている。
【００２１】
第１連結部材(41)の帯板部と中間連結部材(４)の帯板部とは、両筐体(１)(２)の閉じ状態では互いに直交して隣接し、両筐体(１)(２)の開き状態では互いに平行して対向することになる。
【００２２】
第２連結部材(42)は左右に延びる帯板状を呈し、中間連結部材(４)の帯板部の中央部に突設された第２枢軸(32)に、第２連結部材(42)の中央部が回転可能に支持されている。
【００２３】
カバー部材(５)は、中間連結部材(４)に固定されるべき固定部(53)と、固定部(53)と所定の間隔をおいて対向するカバー部(52)とを有している。
中間連結部材(４)には、ビス(44)の先端部がねじ込まれるべきねじ孔(46)が開設された舌片(45)が突設され、カバー部材(５)の固定部(53)は、第１連結部材(41)と舌片(45)の間にて、舌片(45)上に設置される。
【００２４】
第１連結部材(41)には、第１筐体(１)に対して第２筐体(２)を閉じたときに中間連結部材(４)のねじ孔(46)と対向する領域に、ビス(44)の頭部が余裕をもって通過可能なＵ字状の切り欠き(43)が形成されている。
又、カバー部材(５)の固定部(53)には、ビス(44)の先端部が貫通すべき貫通孔(51)が開設されている。
尚、図４に示す開き状態においては、第１筐体(１)と第２筐体(２)の間から切り欠き(43)の一部が見えている。
【００２５】
図１１に示す如く、中間連結部材(４)にカバー部材(５)が装着された状態で、Ｕ字状切り欠き(43)には、カバー部材(５)の貫通孔(51)と中間連結部材(４)のねじ孔(46)とが同軸上に露出することになる。
この状態で、図１２の如く第１連結部材(41)のＵ字状切り欠き(43)を通じて、カバー部材(５)の貫通孔(51)から中間連結部材(４)のねじ孔(46)へビス(44)がねじ込まれ、これによってカバー部材(５)が中間連結部材(４)に締結される。
【００２６】
中間連結部材(４)にカバー部材(５)が締結された状態で、カバー部材(５)のカバー部(52)は、両第１筐体(１)(２)が閉じられた状態における第１連結部材(41)と対向して、図１３の如く中間連結部材(４)の全体を覆うことになる。
【００２７】
２軸ヒンジ機構(３)の第１連結部材(41)と中間連結部材(４)は、図７に示す如く第１筐体(１)に凹設された開口部(104)に収容され、第１連結部材(41)には第１筐体(１)が連結されると共に、第２連結部材(42)には第２筐体(２)が連結される。
この状態で、図８に示す如く第１筐体(１)に対して第２筐体(２)が閉じられることによって、カバー部材(５)のカバー部(52)は、第１筐体(１)の開口部(104)を塞ぐことになる。
【００２８】
２軸ヒンジ機構(３)の内部には、第１連結部材(41)と中間連結部材(４)によって包囲される内部空間が形成され、該内部空間には、第１筐体(１)内の電子部品と第２筐体(２)内の電子部品とを互いに電気接続する複数本のリード線が収容されることになるが、第１筐体(１)に対して第２筐体(２)を閉じた状態で、第１筐体(１)の開口部(104)は図８の如くカバー部材(５)のカバー部(52)によって塞がれるので、前記複数本のリード線が外部に露出することはない。
【００２９】
上記本発明に係る折り畳み式電子機器においては、図１２に示す如く２軸ヒンジ機構(３)の中間連結部材(４)にカバー部材(５)を締結した後に、該２軸ヒンジ機構(３)を用いて、第１筐体(１)と第２筐体(２)とを互いに連結することが出来る。
【００３０】
従来の如く、図１１に示す２軸ヒンジ機構(３)の第１連結部材(41)にＵ字状切り欠き(43)が形成されていない場合には、図１１に示す状態でカバー部材(５)の貫通孔(51)や中間連結部材(４)のねじ孔(46)は第１連結部材(41)によって覆われることになるので、この状態でビス(44)をねじ孔(46)にねじ込むことは出来ない。
そこで、従来においては、図９に示す未締結状態の２軸ヒンジ機構(３)を用いて第１筐体(１)と第２筐体(２)を互いに連結した後、第２筐体(２)を開き、これによって露出したねじ孔(46)にビス(44)をねじ込むことが行なわれていたのである(図１４)。
【００３１】
これに対し、本発明に係る折り畳み式電子機器においては、２軸ヒンジ機構(３)の中間連結部材(４)にビス(44)を用いてカバー部材(５)を締結した後、該２軸ヒンジ機構(３)を用いて、第１筐体(１)と第２筐体(２)とを互いに連結することが出来るので、第１筐体(１)と第２筐体(２)に２軸ヒンジ機構(３)を組み付ける工程でビス(44)のねじ込みのために第２筐体(２)を開閉する作業は不要であり、これによって工数の削減が可能である。
【００３２】
本発明の各部構成は上記実施の形態に限らず、特許請求の範囲に記載の技術的範囲内で種々の変形が可能である。例えば、ビス(44)の頭部が通過すべき第１連結部材(41)開口は、上述の切り欠き(43)に限らず、貫通孔や円孔によって形成することも可能である。
又、本発明は、２軸ヒンジ機構に限らず１軸ヒンジ機構でも生じていた課題を解決するものであって、２軸ヒンジ機構に限らず１軸ヒンジ機構を具えた電子機器にも実施することが可能であり、中間連結部材と第２連結部材とを一体的に構成してもよい。
【符号の説明】
【００３３】
(１)  第１筐体
(２)  第２筐体
(３)  ２軸ヒンジ機構
(31)  第１枢軸
(32)  第２枢軸
(４)  中間連結部材
(41)  第１連結部材
(42)  第２連結部材
(43)  切り欠き
(44)  ビス
(45)  舌片
(46)  ねじ孔
(５)  カバー部材
(51)  貫通孔
【図１】
2011120161.tif 000003
【図２】
2011120161.tif 000004
【図３】
2011120161.tif 000005
【図４】
2011120161.tif 000006
【図５】
2011120161.tif 000007
【図６】
2011120161.tif 000008
【図７】
2011120161.tif 000009
【図８】
2011120161.tif 000010
【図９】
2011120161.tif 000011
【図１０】
2011120161.tif 000012
【図１１】
2011120161.tif 000013
【図１２】
2011120161.tif 000014
【図１３】
2011120161.tif 000015
【図１４】
2011120161.tif 000016